【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
信用証明情報を使用して、第１のデバイスと第２のデバイスとの間で通信する方法において、
第１のデバイスと第２のデバイスとの間で近距離通信リンクを確立することと、
前記近距離通信リンクを通して、信用証明情報を送ることと、
前記近距離通信リンクとは異なる別の通信リンクを通して送信される、前記第１のデバイスと前記第２のデバイスとの間の通信において、前記信用証明情報を使用することとを含む方法。
【請求項２】
前記信用証明情報の受け取りをユーザに通知することをさらに含む請求項１記載の方法。
【請求項３】
さらなる別の信用証明を使用して、ユーザの識別を確認することをさらに含む請求項１記載の方法。
【請求項４】
前記別の信用証明は、パスワードである請求項３記載の方法。
【請求項５】
前記別の信用証明は、バイオメトリックデータである請求項３記載の方法。
【請求項６】
前記近距離通信リンクは、ニアフィールド通信（ＮＦＣ）プロトコル通信リンクである請求項１記載の方法。
【請求項７】
信頼ドメインに登録するための要求を前記第１のデバイスから前記第２のデバイスに送ることをさらに含み、
前記第２のデバイスは、すでに、前記信頼ドメインのメンバーであり、
前記信用証明情報は、前記信頼ドメイン内の通信を安全にするために使用される請求項１記載の方法。
【請求項８】
前記信頼ドメインに登録する前記要求を前記第２のデバイスから信頼ドメインアドミニストレータに転送することと、
前記信用証明情報を前記信頼ドメインアドミニストレータから前記第２のデバイスに送ることとをさらに含み、
前記近距離通信リンクを通して、信用証明情報を送ることは、前記第２のデバイスが、前記近距離通信リンクを通して、受け取った信用証明情報を前記第１のデバイスに転送することを含む請求項７記載の方法。
【請求項９】
別の信用証明を前記信頼ドメインアドミニストレータに提供するように、前記第２のデバイスのユーザに促すことと、
前記別の信用証明を前記信頼ドメインアドミニストレータに送信することと、
前記信頼ドメインアドミニストレータにおいて、前記別の信用証明を確認することとをさらに含み、
前記信用証明情報を前記第２のデバイスに送るステップは、前記信頼ドメインアドミニストレータにおいて前記別の信用証明を確認することに応答して実現される請求項８記載の方法。
【請求項１０】
デバイス信用証明を前記第１のデバイスから前記第２のデバイスに送ることと、
前記デバイス信用証明を確認することとをさらに含み、
前記近距離通信リンクを通して信用証明情報を送るステップは、前記デバイス信用証明を確認することに応答して実現される請求項１記載の方法。
【請求項１１】
前記第１のデバイスと第３のデバイスとの間で近距離通信リンクを確立することと、
前記近距離通信リンクを通して、前記信用証明情報を前記第１のデバイスから前記第３のデバイスに送ることとをさらに含む請求項１記載の方法。
【請求項１２】
移動体デバイスにおいて、
プロセッサと、
前記プロセッサに結合されている第１のトランシーバと、
前記プロセッサに結合されている第２のトランシーバと、
前記プロセッサに結合されているメモリとを具備し、
前記第２のトランシーバは、近距離通信トランシーバであり、
前記プロセッサは、
前記第２のトランシーバを通して、前記移動体デバイスと第１の通信デバイスとの間で近距離通信リンクを確立することと、
前記近距離通信リンクを通して、信用証明情報を前記第１の通信デバイスから受け取ることと、
前記第１のトランシーバを用いる、前記移動体デバイスと前記第１の通信デバイスとの間の通信において、前記信用証明情報を使用することとを含むステップを実行するためのソフトウェア命令を有するように構成されている移動体デバイス。
【請求項１３】
前記プロセッサは、
前記信用証明情報の受け取りを前記移動体デバイスのユーザに通知することをさらに含むステップを実行するためのソフトウェア命令を有するように構成されている請求項１２記載の移動体デバイス。
【請求項１４】
前記プロセッサは、
前記移動体デバイスのユーザを識別するために、前記近距離通信リンクを通して、別の信用証明を前記第１の通信デバイスに送ることをさらに含むステップを実行するためのソフトウェア命令を有するように構成されている請求項１２記載の移動体デバイス。
【請求項１５】
前記プロセッサは、
パスワードを前記移動体デバイスのユーザから受け取ることと、
前記近距離通信リンクを通して、前記パスワードを前記第１の通信デバイスに送ることとをさらに含むステップを実行するためのソフトウェア命令を有するように構成されている請求項１２記載の移動体デバイス。
【請求項１６】
前記プロセッサは、
前記移動体デバイスのユーザに関するバイオメトリックデータを受け取ることと、
前記近距離通信リンクを通して、前記バイオメトリックデータを前記第１の通信デバイスに送ることとをさらに含むステップを実行するためのソフトウェア命令を有するように構成されている請求項１２記載の移動体デバイス。
【請求項１７】
前記プロセッサに結合されている指紋スキャナをさらに具備し、
前記プロセッサは、
指紋スキャンデータを前記指紋スキャナから受け取ることと、
前記近距離通信リンクを通して、前記指紋スキャンデータを前記第１の通信デバイスに送ることとをさらに含むステップを実行するためのソフトウェア命令を有するように構成されている請求項１２記載の移動体デバイス。
【請求項１８】
前記プロセッサは、
前記近距離通信リンクを通して、信頼ドメインに登録するための要求を、前記移動体デバイスから前記第１の通信デバイスに送ることをさらに含むステップを実行するためのソフトウェア命令を有するように構成されている請求項１２記載の移動体デバイス。
【請求項１９】
前記プロセッサは、
前記近距離通信を通して、前記移動局のデバイス信用証明を前記第１の通信デバイスに送ることをさらに含むステップを実行するためのソフトウェア命令を有するように構成されている請求項１２記載の移動体デバイス。
【請求項２０】
前記プロセッサは、
前記移動体デバイスと第２の通信デバイスとの間で近距離通信リンクを確立することと、
前記近距離通信リンクを通して、前記信用証明情報を前記移動体デバイスから前記第２の通信デバイスに送ることとをさらに含むステップを実行するためのソフトウェア命令を有するように構成されている請求項１２記載の移動体デバイス。
【請求項２１】
前記プロセッサは、
信頼ドメインに登録するための要求を前記第２の通信デバイスから受け取ることと、
前記登録するための要求を前記第１の通信デバイスに転送することと、
ユーザ信用証明を前記第１の通信デバイスに提供するための要求を受け取ることと、
前記ユーザ信用証明を前記第１の通信デバイスに送ることとをさらに含むステップを実行するためのソフトウェア命令を有するように構成されている請求項２０記載の移動体デバイス。
【請求項２２】
ステップをプロセッサに実行させるように構成されているプロセッサ実行可能なソフトウェア命令が記憶されている有体的記憶媒体において、
前記ステップは、
前記第２のトランシーバを通して、前記プロセッサと第１の通信デバイスとの間で近距離通信リンクを確立することと、
前記近距離通信リンクを通して、信用証明情報を前記第１の通信デバイスから受け取ることと、
前記近距離通信リンクとは異なる通信リンクを通して送信される、前記プロセッサと前記第１の通信デバイスとの間の通信において、前記信用証明を使用することとを含む有体的記憶媒体。
【請求項２３】
前記有体的記憶媒体は、
前記信用証明情報の受け取りを、前記プロセッサを備えているデバイスのユーザに通知することを含むさらなるステップをプロセッサに実行させるように構成されているプロセッサ実行可能なソフトウェア命令を有する請求項２２記載の有体的記憶媒体。
【請求項２４】
前記有体的記憶媒体は、
前記プロセッサを備えているデバイスのユーザを識別するために、前記近距離通信リンクを通して、別の信用証明を前記第１の通信デバイスに送ることを含むさらなるステップをプロセッサに実行させるように構成されているプロセッサ実行可能なソフトウェア命令を有する請求項２２記載の有体的記憶媒体。
【請求項２５】
前記有体的記憶媒体は、
前記プロセッサを備えているデバイスのユーザからパスワードを受け取ることと、
前記近距離通信リンクを通して、前記パスワードを前記第１の通信デバイスに送ることとを含むさらなるステップをプロセッサに実行させるように構成されているプロセッサ実行可能なソフトウェア命令を有する請求項２２記載の有体的記憶媒体。
【請求項２６】
前記有体的記憶媒体は、
前記プロセッサを備えているデバイスのユーザに関するバイオメトリックデータを受け取ることと、
前記近距離通信リンクを通して、前記バイオメトリックデータを前記第１の通信デバイスに送ることとを含むさらなるステップをプロセッサに実行させるように構成されているプロセッサ実行可能なソフトウェア命令を有する請求項２２記載の有体的記憶媒体。
【請求項２７】
前記有体的記憶媒体は、
指紋スキャンデータを指紋スキャナから受け取ることと、
前記近距離通信リンクを通して、前記指紋スキャンデータを前記第１の通信デバイスに送ることとを含むさらなるステップをプロセッサに実行させるように構成されているプロセッサ実行可能なソフトウェア命令を有する請求項２２記載の有体的記憶媒体。
【請求項２８】
前記有体的記憶媒体は、
前記近距離通信リンクを通して、信頼ドメインに登録するための要求を前記プロセッサから前記第１の通信デバイスに送ることを含むさらなるステップをプロセッサに実行させるように構成されているプロセッサ実行可能なソフトウェア命令を有する請求項２２記載の有体的記憶媒体。
【請求項２９】
前記有体的記憶媒体は、
前記近距離通信リンクを通して、前記プロセッサを備えているデバイスのデバイス信用証明を前記第１の通信デバイスに送ることを含むさらなるステップをプロセッサに実行させるように構成されているプロセッサ実行可能なソフトウェア命令を有する請求項２２記載の有体的記憶媒体。
【請求項３０】
前記有体的記憶媒体は、
前記移動体デバイスと第２の通信デバイスとの間で近距離通信リンクを確立することと、
前記近距離通信リンクを通して、前記信用証明情報を前記移動体デバイスから前記第２の通信デバイスに送ることとを含むさらなるステップをプロセッサに実行させるように構成されているプロセッサ実行可能なソフトウェア命令を有する請求項２２記載の有体的記憶媒体。
【請求項３１】
前記有体的記憶媒体は、
信頼ドメインに登録するための要求を前記第２の通信デバイスから受け取ることと、
前記登録するための要求を前記第１の通信デバイスに転送することと、
ユーザ信用証明を前記第１の通信デバイスに提供するための要求を受け取ることと、
前記ユーザ信用証明を前記第１の通信デバイスに送ることとを含むさらなるステップをプロセッサに実行させるように構成されているプロセッサ実行可能なソフトウェア命令を有する請求項２２記載の有体的記憶媒体。
【請求項３２】
移動体デバイスにおいて、
前記移動体デバイスと第１の通信デバイスとの間で近距離通信リンクを確立する手段と、
前記近距離通信リンクを通して、信用証明情報を前記第１の通信デバイスから受け取る手段と、
前記近距離通信リンクとは異なる別の通信リンクによって送信される、前記移動体デバイスと前記第１の通信デバイスとの間の通信において、前記信用証明情報を使用する手段とを具備する移動体デバイス。
【請求項３３】
前記信用証明情報の受け取りを、前記移動体デバイスのユーザに通知する手段をさらに具備する請求項３２記載の移動体デバイス。
【請求項３４】
前記移動体デバイスのユーザを識別するために、前記近距離通信リンクを通して、別の信用証明を前記第１の通信デバイスに送る手段をさらに具備する請求項３２記載の移動体デバイス。
【請求項３５】
パスワードを前記移動体デバイスのユーザから受け取る手段と、
前記近距離通信リンクを通して、前記パスワードを前記第１の通信デバイスに送る手段とをさらに具備する請求項３２記載の移動体デバイス。
【請求項３６】
前記移動体デバイスのユーザに関するバイオメトリックデータを受け取る手段と、
前記近距離通信リンクを通して、前記バイオメトリックデータを前記第１の通信デバイスに送る手段とをさらに具備する請求項３２記載の移動体デバイス。
【請求項３７】
ユーザの指紋をスキャンして、指紋スキャンデータを取得する手段と、
前記近距離通信リンクを通して、前記指紋スキャンデータを前記第１の通信デバイスに送る手段とをさらに具備する請求項３２記載の移動体デバイス。
【請求項３８】
前記近距離通信リンクを通して、信頼ドメインに登録するための要求を前記移動体デバイスから前記第１の通信デバイスに送る手段をさらに具備する請求項３２記載の移動体デバイス。
【請求項３９】
前記近距離通信リンクを通して、前記移動体デバイスのデバイス信用証明を前記第１の通信デバイスに送る手段をさらに具備する請求項３２記載の移動体デバイス。
【請求項４０】
前記移動体デバイスと第２の通信デバイスとの間で近距離通信リンクを確立する手段と、
前記近距離通信リンクを通して、前記信用証明情報を前記移動体デバイスから前記第２の通信デバイスに送る手段とをさらに具備する請求項３２記載の移動体デバイス。
【請求項４１】
信頼ドメインに登録するための要求を前記第２の通信デバイスから受け取る手段と、
前記登録するための要求を前記第１の通信デバイスに転送する手段と、
ユーザ信用証明を前記第１の通信デバイスに提供するための要求を受け取る手段と、
前記ユーザ信用証明を前記第１の通信デバイスに送る手段とをさらに具備する請求項３２記載の移動体デバイス。
【請求項４２】
コンピュータにおいて、
プロセッサと、
前記プロセッサに結合されている第１のトランシーバと、
前記プロセッサに結合されている第２のトランシーバと、
前記プロセッサに結合されているメモリと、
前記プロセッサに結合されているネットワークインターフェースとを具備し、
前記第２のトランシーバは、近距離通信トランシーバであり、
前記プロセッサは、
前記第２のトランシーバを通して、前記コンピュータと第１の通信デバイスとの間で近距離通信リンクを確立することと、
前記近距離通信リンクを通して、信用証明情報を前記第１の通信デバイスに提供することと、
前記第１のトランシーバを用いて、前記コンピュータと前記第１の通信デバイスとの間の通信において、前記信用証明を使用することとを含むステップを実行するためのソフトウェア命令を有するように構成されているコンピュータ。
【請求項４３】
前記プロセッサは、
前記近距離通信リンクを通して、前記第１の通信デバイスから前記第１の通信デバイスのユーザを識別する別の信用証明を受け取ることと、
前記信用証明情報を前記第１の通信デバイスに提供する前に、前記別の信用証明を確認することとをさらに含むステップを実行するためのソフトウェア命令を有するように構成されている請求項４２記載のコンピュータ。
【請求項４４】
前記別の信用証明は、パスワードであり、
前記別の信用証明を確認することは、前記パスワードと、デバイスを信頼ドメインに登録することが認証されているユーザのパスワードのリストとを比較することを含む請求項４３記載のコンピュータ。
【請求項４５】
前記別の信用証明は、バイオメトリックデータであり、
前記別の信用証明を確認することは、受け取ったバイオメトリックデータと、デバイスを信頼ドメインに登録することが認証されているユーザのバイオメトリックデータとを比較することを含む請求項４３記載のコンピュータ。
【請求項４６】
前記プロセッサは、
前記第１のトランシーバまたは前記ネットワークインターフェースを通して、第２の通信デバイスを前記信頼ドメインに登録するための要求を受け取ることと、
前記第１のトランシーバまたは前記ネットワークインターフェースを通して、前記第１の通信デバイスに関連する別の信用証明に対する要求を前記第１の通信デバイスに送ることと、
前記第１のトランシーバまたは前記ネットワークインターフェースを通して、前記別の信用証明を受け取ることと、
前記別の信用証明を確認することと、
前記別の信用証明が確認された場合、前記第２の通信デバイスに対する中継のために、前記第１のトランシーバまたは前記ネットワークインターフェースを通して、前記信用証明を前記第１の通信デバイスに送ることとをさらに含むステップを実行するためのソフトウェア命令を有するように構成されている請求項４２記載のコンピュータ。
【請求項４７】
前記コンピュータは、ネットワークに結合されているサーバである請求項４２記載のコンピュータ。
【請求項４８】
前記サーバは、証明アドミニストレータとして構成されている請求項４７記載のコンピュータ。
【請求項４９】
前記コンピュータは、メディカルデバイスである請求項４２記載のコンピュータ。
【請求項５０】
ステップをプロセッサに実行させるように構成されているプロセッサ実行可能なソフトウェア命令が記憶されている有体的記憶媒体において、
前記ステップは、
トランシーバを通して、前記プロセッサと第１の通信デバイスとの間で近距離通信リンクを確立することと、
前記近距離通信リンクを通して、信用証明情報を前記第１の通信デバイスに送ることと、
前記近距離通信リンクとは異なる通信リンクを通して送信される、前記プロセッサと前記第１の通信デバイスとの間の通信において、前記信用証明情報を使用することとを含む有体的記憶媒体。
【請求項５１】
前記有体的記憶媒体は、
前記第１の通信デバイスのユーザを識別するために、前記近距離通信リンクを通して、別の信用証明を前記第１の通信デバイスから受け取ることと、
前記信用証明情報を前記第１の通信デバイスに提供する前に、前記別の信用証明を確認することとを含むさらなるステップをプロセッサに実行させるように構成されているプロセッサ実行可能なソフトウェア命令を有する請求項５０記載の有体的記憶媒体。
【請求項５２】
前記有体的記憶媒体は、
前記近距離通信リンクを通して、パスワードを前記第１の通信デバイスから受け取ることと、
前記信用証明情報を前記第１の通信デバイスに提供する前に、前記パスワードと、デバイスを信頼ドメインに登録することが認証されているユーザのパスワードのリストとを比較することによって、前記パスワードを確認することとを含むさらなるステップをプロセッサに実行させるように構成されているプロセッサ実行可能なソフトウェア命令を有する請求項５０記載の有体的記憶媒体。
【請求項５３】
前記有体的記憶媒体は、
前記近距離通信リンクを通して、バイオメトリックデータを前記第１の通信デバイスから受け取ることと、
前記信用証明情報を前記第１の通信デバイスに提供する前に、前記バイオメトリックデータと、デバイスを信頼ドメインに登録することが認証されているユーザのバイオメトリックデータとを比較することによって、前記バイオメトリックデータを確認することとを含むさらなるステップをプロセッサに実行させるように構成されているプロセッサ実行可能なソフトウェア命令を有する請求項５０記載の有体的記憶媒体。
【請求項５４】
前記有体的記憶媒体は、
第２の通信デバイスを前記信頼ドメインに登録するための要求を受け取ることと、
前記第１の通信デバイスに関連する別の信用証明に対する要求を前記第１の通信デバイスに送ることと、
前記別の信用証明を受け取ることと、
前記別の信用証明を確認することと、
前記別の信用証明が確認された場合、前記第２の通信デバイスに対する中継のために、前記信用証明情報を前記第１の通信デバイスに送ることとを含むさらなるステップをプロセッサに実行させるように構成されているプロセッサ実行可能なソフトウェア命令を有する請求項５０記載の有体的記憶媒体。
【請求項５５】
コンピュータにおいて、
前記コンピュータと第１の通信デバイスとの間で近距離通信リンクを確立する手段と、
前記近距離通信リンクを通して、信用証明情報を前記第１の通信デバイスに提供する手段と、
前記近距離通信リンクとは異なる別の通信リンクによって送信される、前記コンピュータと前記第１の通信デバイスとの間の通信において、前記信用証明情報を使用する手段とを具備するコンピュータ。
【請求項５６】
前記近距離通信リンクを通して、前記第１の通信デバイスのユーザを識別する別の信用証明を前記第１の通信デバイスから受け取る手段と、
前記信用証明を前記第１の通信デバイスに提供する前に、前記別の信用証明を確認する手段とをさらに具備する請求項５５記載のコンピュータ。
【請求項５７】
前記別の信用証明は、パスワードであり、
前記別の信用証明情報を確認する手段は、前記パスワードと、デバイスを信頼ドメインに登録することが認証されているユーザのパスワードのリストとを比較することを含む請求項５６記載のコンピュータ。
【請求項５８】
前記別の信用証明は、バイオメトリックデータであり、
前記別の信用証明を確認する手段は、受け取ったバイオメトリックデータと、デバイスを信頼ドメインに登録することが認証されているユーザのバイオメトリックデータとを比較することを含む請求項５６記載のコンピュータ。
【請求項５９】
第２の通信デバイスを前記信頼ドメインに登録するための要求を受け取る手段と、
前記第１の通信デバイスに関連する別の信用証明に対する要求を前記第１の通信デバイスに送る手段と、
前記別の信用証明を受け取る手段と、
前記別の信用証明を確認する手段と、
前記別の信用証明が確認された場合、前記第２の通信デバイスに対する中継のために、前記信用証明情報を前記第１の通信デバイスに送る手段とをさらに具備する請求項５５記載のコンピュータ。
【請求項６０】
ネットワークに接続する手段をさらに具備し、
前記コンピュータは、サーバとして構成されている請求項５５記載のコンピュータ。
【請求項６１】
メディカルモニタリングシステムにおいて、
コンピュータとメディカルデバイスとを具備し、
前記コンピュータは、
コンピュータプロセッサと、
前記プロセッサに結合されているメモリと、
前記プロセッサに結合されている第１のトランシーバと、
前記プロセッサに結合されている第２のトランシーバとを備え、
前記第２のトランシーバは、近距離通信トランシーバであり、
前記コンピュータプロセッサは、
前記第２のトランシーバを通して、前記コンピュータと第１の通信デバイスとの間で近距離通信リンクを確立することと、
前記近距離通信リンクを通して、信用証明情報を前記第１の通信デバイスに提供することと、
前記第１のトランシーバを用いる、前記コンピュータと前記第１の通信デバイスとの間の通信において、前記信用証明情報を使用することとを含むステップを実行するためのソフトウェア命令を有するように構成されており、
前記メディカルデバイスは、
プロセッサと、
前記プロセッサに結合されている第３のトランシーバと、
前記プロセッサに結合されている第４のトランシーバとを備え、
前記第４のトランシーバは、近距離通信トランシーバであり、
前記プロセッサは、
前記第４のトランシーバを通して、前記メディカルデバイスと前記コンピュータとの間で近距離通信リンクを確立することと、
前記近距離通信リンクを通して、信用証明情報を前記コンピュータから受け取ることと、
前記第３のトランシーバを用いる、前記メディカルデバイスと前記コンピュータとの間の通信において、前記信用証明情報を使用することとを含むステップを実行するためのソフトウェア命令を有するように構成されているメディカルモニタリングシステム。
【請求項６２】
ホスピタルサーバをさらに具備し、
前記ホスピタルサーバは、
サーバプロセッサと、
ネットワークに結合され、信号を前記コンピュータに送り、データを前記コンピュータから受け取るように構成されているネットワーク接続回路とを備え、
前記サーバプロセッサは、
前記ネットワークを通して、信用証明情報を前記コンピュータに提供することと、
前記ネットワークを通しての、前記サーバと前記コンピュータとの間の通信において、前記信用証明情報を使用することとを含むステップを実行するためのソフトウェア命令を有するように構成されている請求項６１記載のメディカルモニタリングシステム。
【請求項６３】
バーチャルケーブルデバイスにおいて、
ケーブルソケットとの電気接続を確立するように構成されているケーブルコネクタプラグと、
前記ケーブルコネクタプラグに電子的に結合されているプロセッサと、
前記プロセッサに結合されているワイヤレスネットワークトランシーバと、
前記プロセッサに結合されているニアフィールド通信ワイヤレストランシーバとを具備し、
前記プロセッサは、
前記ニアフィールド通信ワイヤレストランシーバを通して、前記バーチャルケーブルデバイスと他の通信デバイスとの間でニアフィールド通信リンクを確立することと、
前記ニアフィールド通信リンクを通して、信用証明情報を前記他の通信デバイスから受け取ることと、
前記ワイヤレスネットワークトランシーバを用いる、前記バーチャルケーブルと前記他の通信デバイスとの間の通信において、前記信用証明情報を使用することとを含むステップを実行するためのソフトウェア命令を有するように構成されているバーチャルケーブルデバイス。
【請求項６４】
前記プロセッサは、
前記ワイヤレスネットワークトランシーバを通して受け取った情報を、前記他の通信デバイスから、前記ケーブルコネクタプラグが挿入される第２のデバイスに通信することをさらに含むステップを実行するためのソフトウェア命令を有するように構成されている請求項６３記載のバーチャルケーブルデバイス。
【請求項６５】
前記プロセッサは、
前記ケーブルコネクタプラグを通して受け取った情報を、前記ワイヤレスネットワークトランシーバを通して、前記ケーブルコネクタプラグが挿入される第２のデバイスから、前記他の通信デバイスに通信することをさらに含むステップを実行するためのソフトウェア命令を有するように構成されている請求項６３記載のバーチャルケーブルデバイス。
【請求項６６】
前記他の通信デバイスは、他のバーチャルケーブルデバイスである請求項６３記載のバーチャルケーブルデバイス。
【請求項６７】
バーチャルケーブルデバイスにおいて、
データをワイヤレスネットワークにワイヤレス通信する手段と、
ニアフィールド通信ワイヤレストランシーバを通して、前記バーチャルケーブルデバイスと他の通信デバイスとの間でニアフィールド通信リンクを確立する手段と、
前記ニアフィールド通信リンクを通して、信用証明情報を前記他の通信デバイスから受け取る手段と、
前記データをワイヤレスネットワークにワイヤレス通信する手段を用いる、前記バーチャルケーブルデバイスと前記他の通信デバイスとの間の通信において、前記信用証明情報を使用する手段とを具備するバーチャルケーブルデバイス。
【請求項６８】
前記第１のトランシーバを通して受け取った情報を、前記他の通信デバイスから、前記ケーブルコネクタプラグが挿入される第２のデバイスに通信する手段をさらに具備する請求項６７記載のバーチャルケーブルデバイス。
【請求項６９】
前記ケーブルコネクタプラグを通して受け取った情報を、前記データをワイヤレスネットワークにワイヤレス通信する手段を通して、前記ケーブルコネクタプラグが挿入される第２のデバイスから前記他の通信デバイスに通信する手段をさらに具備する請求項６７記載のバーチャルケーブルデバイス。
【請求項７０】
システムにおいて、
ネットワークと、
第１のトランシーバと第２のトランシーバとを備えている第１の通信デバイスと、
第３のトランシーバと第４のトランシーバとを備えている第２の通信デバイスとを具備し、
前記第１のトランシーバは、前記ネットワークを通して通信するように構成されており、
前記第２のトランシーバは、近距離通信トランシーバであり、
前記第３のトランシーバは、前記ネットワークを通して通信するように構成されており、
前記第４のトランシーバは、近距離通信トランシーバであり、
前記第１および第２の通信デバイスは、
前記第２および第４のトランシーバを通して、前記第１および第２の通信デバイス間で近距離通信リンクを確立し、
前記近距離通信リンクを通して、前記第１および第２の通信デバイス間で信用証明情報を交換し、
前記交換した信用証明情報に基づいて、前記第１および第３のトランシーバを通して、前記第１および第２の通信デバイス間で通信を確立するように構成されているシステム。
【手続補正２】
【補正対象書類名】明細書
【補正対象項目名】００７４
【補正方法】変更
【補正の内容】
【００７４】
開示した実施形態の先の説明は、当業者が本発明を作り、または、使用できるように提供されている。これらの実施形態に対するさまざまな修正は、当業者に容易に明らかになるであろう。また、ここで規定されている一般的な原理は、本発明の範囲または精神を逸脱することなく、他の実施形態に適用されてもよい。したがって、本発明は、ここに示した実施形態に限定されることを意図しているものではないが、ここに開示した原理および新規な特徴と矛盾しない最も広範囲に一致させるべきである。  
以下に、本願出願の当初の特許請求の範囲に記載された発明を付記する。
［１］信用証明インフラストラクチャを配備する方法において、
第１のデバイスと第２のデバイスとの間で近距離通信リンクを確立することと、
前記近距離通信リンクを通して、信用証明情報を送ることと、
前記近距離通信リンクとは異なる別の通信リンクを通して送信される、前記第１のデバイスと前記第２のデバイスとの間の通信において、前記信用証明情報を使用することとを含む方法。
［２］前記信用証明情報の受け取りをユーザに通知することをさらに含む前記［１］記載の方法。
［３］さらなる別の信用証明を使用して、ユーザの識別を確認することをさらに含む前記［１］記載の方法。
［４］前記別の信用証明は、パスワードである前記［３］記載の方法。
［５］前記別の信用証明は、バイオメトリックデータである前記［３］記載の方法。 
［６］前記近距離通信リンクは、ニアフィールド通信（ＮＦＣ）プロトコル通信リンクである前記［１］記載の方法。
［７］信頼ドメインに登録するための要求を前記第１のデバイスから前記第２のデバイスに送ることをさらに含み、
前記第２のデバイスは、すでに、前記信頼ドメインのメンバーであり、
前記信用証明情報は、前記信頼ドメイン内の通信を安全にするために使用される前記［１］記載の方法。 
［８］前記信頼ドメインに登録する前記要求を前記第２のデバイスから信頼ドメインアドミニストレータに転送することと、
前記信用証明情報を前記信頼ドメインアドミニストレータから前記第２のデバイスに送ることとをさらに含み、
前記近距離通信リンクを通して、前記信用証明情報を転送し、信用証明情報を送ることは、前記第２のデバイスが、前記近距離通信リンクを通して、受け取った信用証明情報を前記第１のデバイスに転送することを含む前記［７］記載の方法。
［９］別の信用証明を前記信頼ドメインアドミニストレータに提供するように、前記第２のデバイスのユーザに促すことと、
前記別の信用証明を前記信頼ドメインアドミニストレータに送信することと、
前記信頼ドメインアドミニストレータにおいて、前記別の信用証明を確認することとをさらに含み、
前記信用証明情報を前記第２のデバイスに送るステップは、前記信頼ドメインアドミニストレータにおいて前記別の信用証明を確認することに応答して実現される前記［８］記載の方法。
［１０］デバイス信用証明を前記第１のデバイスから前記第２のデバイスに送ることと、
前記デバイス信用証明を確認することとをさらに含み、
前記近距離通信リンクを通して信用証明情報を送るステップは、前記デバイス信用証明を確認することに応答して実現される前記［１］記載の方法。
［１１］  前記第１のデバイスと第３のデバイスとの間で近距離通信リンクを確立することと、
前記近距離通信リンクを通して、前記信用証明情報を前記第１のデバイスから前記第３のデバイスに送ることとをさらに含む前記［１］記載の方法。
［１２］移動体デバイスにおいて、
プロセッサと、
前記プロセッサに結合されている第１のトランシーバと、
前記プロセッサに結合されている第２のトランシーバと、
前記プロセッサに結合されているメモリとを具備し、
前記第２のトランシーバは、近距離通信トランシーバであり、
前記プロセッサは、
前記第２のトランシーバを通して、前記移動体デバイスと第１の通信デバイスとの間で近距離通信リンクを確立することと、
前記近距離通信リンクを通して、信用証明情報を前記第１の通信デバイスから受け取ることと、
前記第１のトランシーバを用いる、前記移動体デバイスと前記第１の通信デバイスとの間の通信において、前記信用証明情報を使用することとを含むステップを実行するためのソフトウェア命令を有するように構成されている移動体デバイス。
［１３］前記プロセッサは、
前記信用証明情報の受け取りを前記移動体デバイスのユーザに通知することをさらに含むステップを実行するためのソフトウェア命令を有するように構成されている前記［１２］記載の移動体デバイス。
［１４］前記プロセッサは、
前記移動体デバイスのユーザを識別するために、前記近距離通信リンクを通して、別の信用証明を前記第１の通信デバイスに送ることをさらに含むステップを実行するためのソフトウェア命令を有するように構成されている前記［１２］記載の移動体デバイス。
［１５］前記プロセッサは、
パスワードを前記移動体デバイスのユーザから受け取ることと、
前記近距離通信リンクを通して、前記パスワードを前記第１の通信デバイスに送ることとをさらに含むステップを実行するためのソフトウェア命令を有するように構成されている前記［１２］記載の移動体デバイス。
［１６］前記プロセッサは、
前記移動体デバイスのユーザに関するバイオメトリックデータを受け取ることと、
前記近距離通信リンクを通して、前記バイオメトリックデータを前記第１の通信デバイスに送ることとをさらに含むステップを実行するためのソフトウェア命令を有するように構成されている前記［１２］記載の移動体デバイス。
［１７］前記プロセッサに結合されている指紋スキャナをさらに具備し、
前記プロセッサは、
指紋スキャンデータを前記指紋スキャナから受け取ることと、
前記近距離通信リンクを通して、前記指紋スキャンデータを前記第１の通信デバイスに送ることとをさらに含むステップを実行するためのソフトウェア命令を有するように構成されている前記［１２］記載の移動体デバイス。
［１８］前記プロセッサは、
前記近距離通信リンクを通して、信頼ドメインに登録するための要求を、前記第１のデバイスから前記第１の通信デバイスに送ることをさらに含むステップを実行するためのソフトウェア命令を有するように構成されている前記［１２］記載の移動体デバイス。
［１９］前記プロセッサは、
前記近距離通信を通して、前記移動局のデバイス信用証明を前記第１の通信デバイスに送ることをさらに含むステップを実行するためのソフトウェア命令を有するように構成されている前記［１２］記載の移動体デバイス。
［２０］前記プロセッサは、
前記移動体デバイスと第２の通信デバイスとの間で近距離通信リンクを確立することと、
前記近距離通信リンクを通して、前記信用証明情報を前記移動体デバイスから前記第２の通信デバイスに送ることとをさらに含むステップを実行するためのソフトウェア命令を有するように構成されている前記［１２］記載の移動体デバイス。
［２１］前記プロセッサは、
信頼ドメインに登録するための要求を前記第２の通信デバイスから受け取ることと、
前記登録するための要求を前記第１の通信デバイスに転送することと、
ユーザ信用証明を前記第１の通信デバイスに提供するための要求を受け取ることと、
前記ユーザ信用証明を前記第１の通信デバイスに送ることとをさらに含むステップを実行するためのソフトウェア命令を有するように構成されている前記［２０］記載の移動体デバイス。
［２２］ステップをプロセッサに実行させるように構成されているプロセッサ実行可能なソフトウェア命令が記憶されている有体的記憶媒体において、
前記ステップは、
前記第２のトランシーバを通して、前記プロセッサと第１の通信デバイスとの間で近距離通信リンクを確立することと、
前記近距離通信リンクを通して、信用証明情報を前記第１の通信デバイスから受け取ることと、
前記近距離通信リンクとは異なる通信リンクを通して送信される、前記プロセッサと前記第１の通信デバイスとの間の通信において、前記信用証明を使用することとを含む有体的記憶媒体。
［２３］前記有体的記憶媒体は、
前記信用証明情報の受け取りを、前記プロセッサを備えているデバイスのユーザに通知することを含むさらなるステップをプロセッサに実行させるように構成されているプロセッサ実行可能なソフトウェア命令を有する前記［２２］記載の有体的記憶媒体。
［２４］前記有体的記憶媒体は、
前記プロセッサを備えているデバイスのユーザを識別するために、前記近距離通信リンクを通して、別の信用証明を前記第１の通信デバイスに送ることを含むさらなるステップをプロセッサに実行させるように構成されているプロセッサ実行可能なソフトウェア命令を有する前記［２２］記載の有体的記憶媒体。
［２５］前記有体的記憶媒体は、
前記プロセッサを備えているデバイスのユーザからパスワードを受け取ることと、
前記近距離通信リンクを通して、前記パスワードを前記第１の通信デバイスに送ることとを含むさらなるステップをプロセッサに実行させるように構成されているプロセッサ実行可能なソフトウェア命令を有する前記［２２］記載の有体的記憶媒体。
［２６］前記有体的記憶媒体は、
前記プロセッサを備えているデバイスのユーザに関するバイオメトリックデータを受け取ることと、
前記近距離通信リンクを通して、前記バイオメトリックデータを前記第１の通信デバイスに送ることとを含むさらなるステップをプロセッサに実行させるように構成されているプロセッサ実行可能なソフトウェア命令を有する前記［２２］記載の有体的記憶媒体。
［２７］前記有体的記憶媒体は、
指紋スキャンデータを指紋スキャナから受け取ることと、
前記近距離通信リンクを通して、前記指紋スキャンデータを前記第１の通信デバイスに送ることとを含むさらなるステップをプロセッサに実行させるように構成されているプロセッサ実行可能なソフトウェア命令を有する前記［２２］記載の有体的記憶媒体。
［２８］前記有体的記憶媒体は、
前記近距離通信リンクを通して、信頼ドメインに登録するための要求を前記第１のデバイスから前記第１の通信デバイスに送ることを含むさらなるステップをプロセッサに実行させるように構成されているプロセッサ実行可能なソフトウェア命令を有する前記［２２］記載の有体的記憶媒体。
［２９］前記有体的記憶媒体は、
前記近距離通信リンクを通して、前記プロセッサを備えているデバイスのデバイス信用証明を前記第１の通信デバイスに送ることを含むさらなるステップをプロセッサに実行させるように構成されているプロセッサ実行可能なソフトウェア命令を有する前記［２２］記載の有体的記憶媒体。
［３０］前記有体的記憶媒体は、
前記移動体デバイスと第２の通信デバイスとの間で近距離通信リンクを確立することと、
前記近距離通信リンクを通して、前記信用証明情報を前記移動体デバイスから前記第２の通信デバイスに送ることとを含むさらなるステップをプロセッサに実行させるように構成されているプロセッサ実行可能なソフトウェア命令を有する前記［２２］記載の有体的記憶媒体。
［３１］前記有体的記憶媒体は、
信頼ドメインに登録するための要求を前記第２の通信デバイスから受け取ることと、
前記登録するための要求を前記第１の通信デバイスに転送することと、
ユーザ信用証明を前記第１の通信デバイスに提供するための要求を受け取ることと、
前記ユーザ信用証明を前記第１の通信デバイスに送ることとを含むさらなるステップをプロセッサに実行させるように構成されているプロセッサ実行可能なソフトウェア命令を有する前記［２２］記載の有体的記憶媒体。
［３２］移動体デバイスにおいて、
前記移動体デバイスと第１の通信デバイスとの間で近距離通信リンクを確立する手段と、
前記近距離通信リンクを通して、信用証明情報を前記第１の通信デバイスから受け取る手段と、
前記近距離通信リンクとは異なる別の通信リンクによって送信される、前記移動体デバイスと前記第１の通信デバイスとの間の通信において、前記信用証明情報を使用する手段とを具備する移動体デバイス。
［３３］前記信用証明情報の受け取りを、前記移動体デバイスのユーザに通知する手段をさらに具備する前記［３２］記載の移動体デバイス。
［３４］前記移動体デバイスのユーザを識別するために、前記近距離通信リンクを通して、別の信用証明を前記第１の通信デバイスに送る手段をさらに具備する前記［３２］記載の移動体デバイス。
［３５］パスワードを前記移動体デバイスのユーザから受け取る手段と、
前記近距離通信リンクを通して、前記パスワードを前記第１の通信デバイスに送る手段とをさらに具備する前記［３２］記載の移動体デバイス。
［３６］前記移動体デバイスのユーザに関するバイオメトリックデータを受け取る手段と、
前記近距離通信リンクを通して、前記バイオメトリックデータを前記第１の通信デバイスに送る手段とをさらに具備する前記［３２］記載の移動体デバイス。
［３７］ユーザの指紋をスキャンして、指紋スキャンデータを取得する手段と、
前記近距離通信リンクを通して、前記指紋スキャンデータを前記第１の通信デバイスに送る手段とをさらに具備する前記［３２］記載の移動体デバイス。
［３８］前記近距離通信リンクを通して、信頼ドメインに登録するための要求を前記第１のデバイスから前記第１の通信デバイスに送る手段をさらに具備する前記［３２］記載の移動体デバイス。
［３９］前記近距離通信リンクを通して、前記移動体デバイスのデバイス信用証明を前記第１の通信デバイスに送る手段をさらに具備する前記［３２］記載の移動体デバイス。
［４０］前記移動体デバイスと第２の通信デバイスとの間で近距離通信リンクを確立する手段と、
前記近距離通信リンクを通して、前記信用証明情報を前記移動体デバイスから前記第２の通信デバイスに送る手段とをさらに具備する前記［３２］記載の移動体デバイス。
［４１］信頼ドメインに登録するための要求を前記第２の通信デバイスから受け取る手段と、
前記登録するための要求を前記第１の通信デバイスに転送する手段と、
ユーザ信用証明を前記第１の通信デバイスに提供するための要求を受け取る手段と、
前記ユーザ信用証明を前記第１の通信デバイスに送る手段とをさらに具備する前記［３２］記載の移動体デバイス。
［４２］コンピュータにおいて、
プロセッサと、
前記プロセッサに結合されている第１のトランシーバと、
前記プロセッサに結合されている第２のトランシーバと、
前記プロセッサに結合されているメモリと、
前記プロセッサに結合されているネットワークインターフェースとを具備し、
前記第２のトランシーバは、近距離通信トランシーバであり、
前記プロセッサは、
前記第２のトランシーバを通して、前記コンピュータと第１の通信デバイスとの間で近距離通信リンクを確立することと、
前記近距離通信リンクを通して、信用証明情報を前記第１の通信デバイスに提供することと、
前記第１のトランシーバを用いて、前記移動体デバイスと前記第１の通信デバイスとの間の通信において、前記信用証明を使用することとを含むステップを実行するためのソフトウェア命令を有するように構成されているコンピュータ。
［４３］前記プロセッサは、
前記近距離通信リンクを通して、前記第１の通信デバイスから前記第１の通信デバイスのユーザを識別する別の信用証明を受け取ることと、
前記信用証明情報を前記第１の通信デバイスに提供する前に、前記別の信用証明を確認することとをさらに含むステップを実行するためのソフトウェア命令を有するように構成されている前記［４２］記載のコンピュータ。
［４４］前記別の信用証明は、パスワードであり、
前記別の信用証明を確認することは、前記パスワードと、デバイスを信頼ドメインに登録することが認証されているユーザのパスワードのリストとを比較することを含む前記［４３］記載のコンピュータ。
［４５］前記別の信用証明は、バイオメトリックデータであり、
前記別の信用証明を確認することは、受け取ったバイオメトリックデータと、デバイスを信頼ドメインに登録することが認証されているユーザのバイオメトリックデータとを比較することを含む前記［４３］記載のコンピュータ。
［４６］前記プロセッサは、
前記第１のトランシーバまたは前記ネットワークインターフェースを通して、第２の通信デバイスを前記信頼ドメインに登録するための要求を受け取ることと、
前記第１のトランシーバまたは前記ネットワークインターフェースを通して、前記第１の通信デバイスに関連する別の信用証明に対する要求を前記第１の通信デバイスに送ることと、
前記第１のトランシーバまたは前記ネットワークインターフェースを通して、前記別の信用証明を受け取ることと、
前記別の信用証明を確認することと、
前記別の信用証明が確認された場合、前記第２の通信デバイスに対する中継のために、前記第１のトランシーバまたは前記ネットワークインターフェースを通して、前記信用証明を前記第１の通信デバイスに送ることとをさらに含むステップを実行するためのソフトウェア命令を有するように構成されている前記［４２］記載のコンピュータ。
［４７］前記コンピュータは、ネットワークに結合されているサーバである前記［４２］記載のコンピュータ。
［４８］前記サーバは、証明アドミニストレータとして構成されている前記［４７］記載のコンピュータ。
［４９］前記コンピュータは、メディカルデバイスである前記［４２］記載のコンピュータ。
［５０］ステップをプロセッサに実行させるように構成されているプロセッサ実行可能なソフトウェア命令が記憶されている有体的記憶媒体において、
前記ステップは、
第２のトランシーバを通して、前記プロセッサと第１の通信デバイスとの間で近距離通信リンクを確立することと、
前記近距離通信リンクを通して、信用証明情報を前記第１の通信デバイスに送ることと、
前記近距離通信リンクとは異なる通信リンクを通して送信される、前記プロセッサと前記第１の通信デバイスとの間の通信において、前記信用証明情報を使用することとを含む有体的記憶媒体。
［５１］前記有体的記憶媒体は、
前記第１の通信デバイスのユーザを識別するために、前記近距離通信リンクを通して、別の信用証明を前記第１の通信デバイスから受け取ることと、
前記信用証明情報を前記第１の通信デバイスに提供する前に、前記別の信用証明を確認することとを含むさらなるステップをプロセッサに実行させるように構成されているプロセッサ実行可能なソフトウェア命令を有する前記［５０］記載の有体的記憶媒体。
［５２］前記有体的記憶媒体は、
前記近距離通信リンクを通して、パスワードを前記第１の通信デバイスから受け取ることと、
前記信用証明情報を前記第１の通信デバイスに提供する前に、前記パスワードと、デバイスを信頼ドメインに登録することが認証されているユーザのパスワードのリストとを比較することによって、前記パスワードを確認することとを含むさらなるステップをプロセッサに実行させるように構成されているプロセッサ実行可能なソフトウェア命令を有する前記［５０］記載の有体的記憶媒体。
［５３］前記有体的記憶媒体は、
前記近距離通信リンクを通して、バイオメトリックデータを前記第１の通信デバイスから受け取ることと、
前記信用証明情報を前記第１の通信デバイスに提供する前に、前記バイオメトリックデータと、デバイスを信頼ドメインに登録することが認証されているユーザのバイオメトリックデータとを比較することによって、前記バイオメトリックデータを確認することとを含むさらなるステップをプロセッサに実行させるように構成されているプロセッサ実行可能なソフトウェア命令を有する前記［５０］記載の有体的記憶媒体。
［５４］前記有体的記憶媒体は、
第２の通信デバイスを前記信頼ドメインに登録するための要求を受け取ることと、
前記第１の通信デバイスに関連する別の信用証明に対する要求を前記第１の通信デバイスに送ることと、
前記別の信用証明を受け取ることと、
前記別の信用証明を確認することと、
前記別の信用証明が確認された場合、前記第２の通信デバイスに対する中継のために、前記信用証明情報を前記第１の通信デバイスに送ることとを含むさらなるステップをプロセッサに実行させるように構成されているプロセッサ実行可能なソフトウェア命令を有する前記［５０］記載の有体的記憶媒体。
［５５］コンピュータにおいて、
前記コンピュータと第１の通信デバイスとの間で近距離通信リンクを確立する手段と、
前記近距離通信リンクを通して、信用証明情報を前記第１の通信デバイスに提供する手段と、
前記近距離通信リンクとは異なる別の通信リンクによって送信される、前記移動体デバイスと前記第１の通信デバイスとの間の通信において、前記信用証明情報を使用する手段とを具備するコンピュータ。
［５６］前記近距離通信リンクを通して、前記第１の通信デバイスのユーザを識別する別の信用証明を前記第１の通信デバイスから受け取る手段と、
前記信用証明を前記第１の通信デバイスに提供する前に、前記別の信用証明を確認する手段とをさらに具備する前記［５５］記載のコンピュータ。
［５７］前記別の信用証明は、パスワードであり、
前記別の信用証明情報を確認する手段は、前記パスワードと、デバイスを信頼ドメインに登録することが認証されているユーザのパスワードのリストとを比較することを含むことをさらに含む前記［５５］記載のコンピュータ。
［５８］前記別の信用証明は、バイオメトリックデータであり、
前記別の信用証明を確認する手段は、受け取ったバイオメトリックデータと、デバイスを信頼ドメインに登録することが認証されているユーザのバイオメトリックデータとを比較することをさらに含む前記［５５］記載のコンピュータ。
［５９］第２の通信デバイスを前記信頼ドメインに登録するための要求を受け取る手段と、
前記第１の通信デバイスに関連する別の信用証明に対する要求を前記第１の通信デバイスに送る手段と、
前記別の信用証明を受け取る手段と、
前記別の信用証明を確認する手段と、
前記別の信用証明が確認された場合、前記第２の通信デバイスに対する中継のために、前記信用証明情報を前記第１の通信デバイスに送る手段とをさらに具備する前記［５５］記載のコンピュータ。
［６０］ネットワークに接続する手段をさらに具備し、
前記コンピュータは、サーバとして構成されている前記［５５］記載のコンピュータ。
［６１］メディカルモニタリングシステムにおいて、
コンピュータとメディカルデバイスとを具備し、
前記コンピュータは、
コンピュータプロセッサと、
前記プロセッサに結合されているメモリと、
前記プロセッサに結合されている第１のトランシーバと、
前記プロセッサに結合されている第２のトランシーバとを備え、
前記第２のトランシーバは、近距離通信トランシーバであり、
前記コンピュータプロセッサは、
前記第２のトランシーバを通して、前記コンピュータと第１の通信デバイスとの間で近距離通信リンクを確立することと、
前記近距離通信リンクを通して、信用証明情報を前記第１の通信デバイスに提供することと、
前記第１のトランシーバを用いる、移動体デバイスと前記第１の通信デバイスとの間の通信において、前記信用証明情報を使用することとを含むステップを実行するためのソフトウェア命令を有するように構成されており、
前記メディカルデバイスは、
プロセッサと、
前記プロセッサに結合されている第３のトランシーバと、
前記プロセッサに結合されている第４のトランシーバとを備え、
前記第４のトランシーバは、近距離通信トランシーバであり、
前記プロセッサは、
前記第４のトランシーバを通して、前記メディカルデバイスと前記コンピュータとの間で近距離通信リンクを確立することと、
前記近距離通信リンクを通して、信用証明情報を前記コンピュータから受け取ることと、
前記第３のトランシーバを用いる、前記メディカルデバイスと前記コンピュータとの間の通信において、前記信用証明情報を使用することとを含むステップを実行するためのソフトウェア命令を有するように構成されているメディカルモニタリングシステム。
［６２］ホスピタルサーバをさらに具備し、
前記ホスピタルサーバは、
サーバプロセッサと、
ネットワークに結合され、信号を前記コンピュータに送り、データを前記コンピュータから受け取るように構成されているネットワーク接続回路とを備え、
前記サーバプロセッサは、
前記ネットワークを通して、信用証明情報を前記コンピュータに提供することと、
前記ネットワークを通しての、前記サーバと前記コンピュータとの間の通信において、前記信用証明情報を使用することとを含むステップを実行するためのソフトウェア命令を有するように構成されている前記［６１］記載のメディカルモニタリングシステム。
［６３］バーチャルケーブルデバイスにおいて、
ケーブルソケットとの電気接続を確立するように構成されているケーブルコネクタプラグと、
前記ケーブルコネクタプラグに電子的に結合されているプロセッサと、
前記プロセッサに結合されているワイヤレスネットワークトランシーバと、
前記プロセッサに結合されているニアフィールド通信ワイヤレストランシーバとを具備し、
前記プロセッサは、
前記ニアフィールド通信ワイヤレストランシーバを通して、前記バーチャルケーブルデバイスと他の通信デバイスとの間でニアフィールド通信リンクを確立することと、
前記ニアフィールド通信リンクを通して、信用証明情報を前記他の通信デバイスから受け取ることと、
前記ワイヤレスネットワークトランシーバを用いる、前記バーチャルケーブルと前記他の通信デバイスとの間の通信において、前記信用証明情報を使用することとを含むステップを実行するためのソフトウェア命令を有するように構成されているバーチャルケーブルデバイス。
［６４］前記プロセッサは、
前記ワイヤレスネットワークトランシーバを通して受け取った情報を、前記他の通信デバイスから、前記ケーブルコネクタプラグが挿入される第２のデバイスに通信することをさらに含むステップを実行するためのソフトウェア命令を有するように構成されている前記［６３］記載のバーチャルケーブルデバイス。
［６５］前記プロセッサは、
前記ケーブルコネクタプラグを通して受け取った情報を、前記ワイヤレスネットワークトランシーバを通して、前記ケーブルコネクタプラグが挿入される第２のデバイスから、前記他の通信デバイスに通信することをさらに含むステップを実行するためのソフトウェア命令を有するように構成されている前記［６３］記載のバーチャルケーブルデバイス。 ［６６］前記他の通信デバイスは、他のバーチャルケーブルデバイスである前記［６３］記載のバーチャルケーブルデバイス。
［６７］バーチャルケーブルデバイスにおいて、
データをワイヤレスネットワークにワイヤレス通信する手段と、
ニアフィールド通信ワイヤレストランシーバを通して、前記バーチャルケーブルデバイスと他の通信デバイスとの間でニアフィールド通信リンクを確立する手段と、
前記ニアフィールド通信リンクを通して、信用証明情報を前記他の通信デバイスから受け取る手段と、
前記データをワイヤレスネットワークにワイヤレス通信する手段を用いる、前記バーチャルケーブルデバイスと前記他の通信デバイスとの間の通信において、前記信用証明情報を使用する手段とを具備するバーチャルケーブルデバイス。
［６８］前記第１のトランシーバを通して受け取った情報を、前記他の通信デバイスから、前記ケーブルコネクタプラグが挿入される第２のデバイスに通信する手段をさらに具備する前記［６７］記載のバーチャルケーブルデバイス。
［６９］前記ケーブルコネクタプラグを通して受け取った情報を、前記データをワイヤレスネットワークにワイヤレス通信する手段を通して、前記ケーブルコネクタプラグが挿入される第２のデバイスから前記他の通信デバイスに通信する手段をさらに具備する前記［６７］記載のバーチャルケーブルデバイス。
［７０］システムにおいて、
ネットワークと、
第１のトランシーバと第２のトランシーバとを備えている第１の通信デバイスと、
第３のトランシーバと第４のトランシーバとを備えている第２の通信デバイスとを具備し、
前記第１のトランシーバは、前記ネットワークを通して通信するように構成されており、
前記第２のトランシーバは、近距離通信トランシーバであり、
前記第３のトランシーバは、前記ネットワークを通して通信するように構成されており、
前記第４のトランシーバは、近距離通信トランシーバであり、
前記第１および第２の通信デバイスは、
前記第２および第４のトランシーバを通して、前記第１および第２の通信デバイス間で近距離通信リンクを確立し、
前記近距離通信リンクを通して、前記第１および第２の通信デバイス間で信用証明情報を交換し、
前記交換した信用証明情報に基づいて、前記第１および第３のトランシーバを通して、前記第１および第２の通信デバイス間で通信を確立するように構成されているシステム。